(57)【特許請求の範囲】
【請求項１】
物体側から順に、正の屈折力を持つ第１レンズ群、負の屈折力を持つ第２レンズ群、正の屈折力を持つ第３レンズ群、及び正の屈折力を持つ第４レンズ群から構成され、短焦点距離端から長焦点距離端への変倍に際し、第１レンズ群と第２レンズ群のレンズ群間隔が増加し、第２レンズ群と第３レンズ群のレンズ群間隔が減少するように、第１レンズ群ないし第４レンズ群の全てのレンズ群が移動し、
第１レンズ群は、物体側から順に、像側に凹の負レンズ、物体側に凸の正レンズ、及び物体側に凸の正レンズから構成され、
第４レンズ群は、物体側から順に、正レンズ、及び物体側から順に位置する負レンズと正レンズの接合レンズから構成され、
次の条件式（１）、（２）及び（４）を満足することを特徴とする高変倍ズームレンズ系。
（１）１．７＜ｆ１／ｆ４＜２．０２
（２）１．８２＜（ｆ１×ｆ４）／（ｆ３）2＜２．３
（４）νｄ４１＞８０
但し、
ｆ１：第１レンズ群の焦点距離、
ｆ４：第４レンズ群の焦点距離、
ｆ３：第３レンズ群の焦点距離、
νｄ４１：第４レンズ群の物体側の正レンズのｄ線に対するアッベ数。
【請求項２】
請求項１記載の高変倍ズームレンズ系において、次の条件式（３）を満足する高変倍ズームレンズ系。
（３）｜ΔＰg-F／Δνｄ｜＜０．００１５
但し、
ΔＰg-F：ΔＰg-F１１−ΔＰg-F１２、
Δνｄ：νｄ１１−νｄ１２、
ここで、
ΔＰg-F１１：第１レンズ群の負レンズの部分分散比、
ΔＰg-F１２：第１レンズ群の物体側の正レンズの部分分散比、
νｄ１１：第１レンズ群の負レンズのｄ線に対するアッベ数、
νｄ１２：第１レンズ群の物体側の正レンズのｄ線に対するアッベ数。
【請求項３】
請求項１または２記載の高変倍ズームレンズ系において、第３レンズ群は、物体側から順に、正レンズ、正レンズ、及び物体側に凹面を向けた負レンズの３枚のレンズから構成される高変倍ズームレンズ系。
【発明の詳細な説明】
【技術分野】
【０００１】
本発明は、小型の撮像素子を備えるデジタルカメラ用の撮像光学系として好適な高変倍ズームレンズ系に関する。
【背景技術】
【０００２】
近年、ズームレンズ系の高変倍化が進んでおり、同時に、ボディの小型化に伴うズームレンズ系の小型化の要求が高まっている。比較的高変倍のズームレンズ系として、例えば、正負正負正の５群タイプのズームレンズ系（特許文献１、２）、及び正負正正の４群タイプのズームレンズ系（特許文献３、４）が知られている。
【先行技術文献】
【特許文献】
【０００３】
【特許文献１】特開２００９−２４４４４３号公報
【特許文献２】特開２００９−１７５３２４号公報
【特許文献３】特開２００９−５８９８０号公報
【特許文献４】特開２００５−３３１６９７号公報
【発明の概要】
【発明が解決しようとする課題】
【０００４】
しかし、特許文献１、２記載の正負正負正の５群タイプのズームレンズ系にあっては、レンズ群数が５つであることから、部品点数の増加及びメカ構造の複雑化に伴う大型化の問題が生じ、コンパクトなズームレンズ系を得ることが難しい。
一方、正負正正の４群タイプのズームレンズ系であっても、特許文献３記載のズームレンズ系は、短焦点距離端でのレンズ全長が長く、小型化が不十分である。また、特許文献４記載のズームレンズ系は、小型化は達成されているものの、長焦点距離端での焦点距離が１２０ｍｍでズーム比が６．４倍程度とやや小さい。
さらに、４群タイプ、５群タイプにかかわらず、高変倍ズームレンズ系にあっては倍率色収差を良好に補正することが要求される。
【０００５】
本発明は、短焦点距離端の画角が７６度程度で、７．０倍程度のズーム比を実現し、レンズ交換式一眼レフカメラでも使用可能な長いバックフォーカスを有し、コンパクトで高性能であり、かつ倍率色収差を良好に補正することができる高変倍ズームレンズ系を得ることを目的とする。
【課題を解決するための手段】
【０００６】
本発明の高変倍ズームレンズ系は、物体側から順に、正の屈折力を持つ第１レンズ群、負の屈折力を持つ第２レンズ群、正の屈折力を持つ第３レンズ群、及び正の屈折力を持つ第４レンズ群から構成され、短焦点距離端から長焦点距離端への変倍に際し、第１レンズ群と第２レンズ群のレンズ群間隔が増加し、第２レンズ群と第３レンズ群のレンズ群間隔が減少するように、第１レンズ群ないし第４レンズ群の全てのレンズ群が移動し、第１レンズ群は、物体側から順に、像側に凹の負レンズ、物体側に凸の正レンズ、及び物体側に凸の正レンズから構成され、第４レンズ群は、物体側から順に、正レンズ、及び物体側から順に位置する負レンズと正レンズの接合レンズから構成され、次の条件式（１）、（２）及び（４）を満足することを特徴としている。
（１）１．７＜ｆ１／ｆ４＜２．０２
（２）１．８２＜（ｆ１×ｆ４）／（ｆ３）2＜２．３
（４）νｄ４１＞８０
但し、
ｆ１：第１レンズ群の焦点距離、
ｆ４：第４レンズ群の焦点距離、
ｆ３：第３レンズ群の焦点距離、
νｄ４１：第４レンズ群の物体側の正レンズのｄ線に対するアッベ数、
である。
【０００７】
条件式（４）が規定する条件範囲の中でも、次の条件式（４）'を満足することがより好ましい。
（４）'νｄ４１＞９０
【０００８】
本発明の高変倍ズームレンズ系は、さらに次の条件式（３）を満足することが好ましい。
（３）｜ΔＰg-F／Δνｄ｜＜０．００１５
但し、
ΔＰg-F：ΔＰg-F１１−ΔＰg-F１２、
Δνｄ：νｄ１１−νｄ１２、
ここで、
ΔＰg-F１１：第１レンズ群の負レンズの部分分散比、
ΔＰg-F１２：第１レンズ群の物体側の正レンズの部分分散比、
νｄ１１：第１レンズ群の負レンズのｄ線に対するアッベ数、
νｄ１２：第１レンズ群の物体側の正レンズのｄ線に対するアッベ数、
である。
【０００９】
条件式（３）が規定する条件範囲の中でも、次の条件式（３）'を満足することがより好ましい。
（３）'｜ΔＰg-F／Δνｄ｜＜０．００１３
【００１２】
第３レンズ群は、物体側から順に、正レンズ、正レンズ、及び物体側に凹面を向けた負レンズの３枚のレンズから構成することができる。
【発明の効果】
【００１３】
本発明によれば、短焦点距離端の画角が７６度程度で、７．０倍程度のズーム比を実現し、レンズ交換式一眼レフカメラでも使用可能な長いバックフォーカスを有し、コンパクトで高性能であり、かつ倍率色収差を良好に補正することができる高変倍ズームレンズ系を得ることができる。
【図面の簡単な説明】
【００１４】
【図１】本発明による高変倍ズームレンズ系の数値実施例１の長焦点距離端における無限遠合焦時のレンズ構成図である。
【図２】図１の構成における諸収差図である。
【図３】図１の構成における横収差図である。
【図４】同数値実施例１の短焦点距離端における無限遠合焦時のレンズ構成図である。
【図５】図４の構成における諸収差図である。
【図６】図４の構成における横収差図である。
【図７】本発明による高変倍ズームレンズ系の数値実施例２の長焦点距離端における無限遠合焦時のレンズ構成図である。
【図８】図７の構成における諸収差図である。
【図９】図７の構成における横収差図である。
【図１０】同数値実施例２の短焦点距離端における無限遠合焦時のレンズ構成図である。
【図１１】図１０の構成における諸収差図である。
【図１２】図１０の構成における横収差図である。
【図１３】本発明による高変倍ズームレンズ系の数値実施例３の長焦点距離端における無限遠合焦時のレンズ構成図である。
【図１４】図１３の構成における諸収差図である。
【図１５】図１３の構成における横収差図である。
【図１６】同数値実施例３の短焦点距離端における無限遠合焦時のレンズ構成図である。
【図１７】図１６の構成における諸収差図である。
【図１８】図１６の構成における横収差図である。
【図１９】本発明による高変倍ズームレンズ系の数値実施例４の長焦点距離端における無限遠合焦時のレンズ構成図である。
【図２０】図１９の構成における諸収差図である。
【図２１】図１９の構成における横収差図である。
【図２２】同数値実施例４の短焦点距離端における無限遠合焦時のレンズ構成図である。
【図２３】図２２の構成における諸収差図である。
【図２４】図２２の構成における横収差図である。
【図２５】本発明による高変倍ズームレンズ系の数値実施例５の長焦点距離端における無限遠合焦時のレンズ構成図である。
【図２６】図２５の構成における諸収差図である。
【図２７】図２５の構成における横収差図である。
【図２８】同数値実施例５の短焦点距離端における無限遠合焦時のレンズ構成図である。
【図２９】図２８の構成における諸収差図である。
【図３０】図２８の構成における横収差図である。
【図３１】本発明による高変倍ズームレンズ系の数値実施例６の長焦点距離端における無限遠合焦時のレンズ構成図である。
【図３２】図３１の構成における諸収差図である。
【図３３】図３１の構成における横収差図である。
【図３４】同数値実施例６の短焦点距離端における無限遠合焦時のレンズ構成図である。
【図３５】図３４の構成における諸収差図である。
【図３６】図３４の構成における横収差図である。
【図３７】本発明による高変倍ズームレンズ系の数値実施例７の長焦点距離端における無限遠合焦時のレンズ構成図である。
【図３８】図３７の構成における諸収差図である。
【図３９】図３７の構成における横収差図である。
【図４０】同数値実施例７の短焦点距離端における無限遠合焦時のレンズ構成図である。
【図４１】図４０の構成における諸収差図である。
【図４２】図４０の構成における横収差図である。
【図４３】本発明によるズームレンズ系のズーム軌跡を示す簡易移動図である。
【発明を実施するための形態】
【００１５】
本実施の形態の高変倍ズームレンズ系は、図４３の簡易移動図に示すように、物体側から順に、正の屈折力を持つ第１レンズ群Ｇ１、負の屈折力を持つ第２レンズ群Ｇ２、正の屈折力を持つ第３レンズ群Ｇ３、及び正の屈折力を持つ第４レンズ群Ｇ４から構成されている。第２レンズ群Ｇ２と第３レンズ群Ｇ３の間に位置する絞りＳは、第３レンズ群Ｇ３と一体に移動する。Ｉは像面である。第２レンズ群Ｇ２は、フォーカシング時に移動するフォーカスレンズ群である（無限遠物体から有限距離物体へ合焦させるに際し第２レンズ群を物体側に繰り出してフォーカシングを行う）。
【００１６】
この高変倍ズームレンズ系は、短焦点距離端（Ｗ）から長焦点距離端（Ｔ）への変倍（ズーミング）に際し、第１レンズ群Ｇ１と第２レンズ群Ｇ２のレンズ群間隔が増加し、第２レンズ群Ｇ２と第３レンズ群Ｇ３のレンズ群間隔が減少するように、第１レンズ群Ｇ１ないし第４レンズ群Ｇ４の全てのレンズ群が物体側へ単調に移動する。尚、第３レンズ群Ｇ３と第４レンズ群Ｇ４のレンズ群間隔は増加しても減少してもよい。また第１レンズ群Ｇ１の移動量（繰り出し量）は、第２レンズ群Ｇ２の移動量（繰り出し量）より大きいのはもちろん、第３レンズ群Ｇ３及び第４レンズ群Ｇ４の移動量（繰り出し量）よりも大きい。
【００１７】
第１レンズ群Ｇ１は、全数値実施例１−７を通じて、物体側から順に、物体側から順に位置する物体側に凸（像側に凹）の負メニスカスレンズ１１と両凸正レンズ１２の接合レンズＣ１、及び物体側に凸の正メニスカスレンズ１３からなる。負メニスカスレンズ１１と両凸正レンズ１２は必ずしも接合する必要はなく、接合しない態様も可能である。
【００１８】
第２レンズ群Ｇ２は、全数値実施例１−７を通じて、物体側から順に、物体側に凸の負メニスカスレンズ２１、両凹負レンズ２２、両凸正レンズ２３、及び像側に凸の負メニスカスレンズ２４からなる。負メニスカスレンズ２１の物体側の面には、合成樹脂材料による非球面層が接着形成されている。
【００１９】
第３レンズ群Ｇ３は、物体側から順に、両凸正レンズ３１、正レンズ３２、及び両凹負レンズ３３からなる。正レンズ３２は、数値実施例１、３、４、６、７では両凸正レンズからなり、数値実施例２、５では物体側に凸の正メニスカスレンズからなる。
【００２０】
第４レンズ群Ｇ４は、全数値実施例１−７を通じて、物体側から順に、両凸正レンズ４１、及び物体側から順に位置する両凹負レンズ４２と両凸正レンズ４３の接合レンズＣ４からなる。両凸正レンズ４３は、その像側の面が非球面からなる非球面レンズである。
【００２１】
本実施の形態では、第２レンズ群を物体側に移動させてフォーカシングを行うインナーフォーカス方式を採用している。第１レンズ群のように大きくて重いレンズ群を移動させる必要がないので、オートフォーカス時の駆動系への負担が少なく、迅速なピント合わせが可能であり、また近距離物体撮影時の周辺光量の低下が少なく、前玉径を比較的小さく保つことができるので、小型化（コンパクト化）に有利であるなどの実用上の利点が多い。
【００２２】
条件式（１）は、第１レンズ群の焦点距離と、第４レンズ群の焦点距離との比を規定するものであり、優れた光学性能を保ちながら倍率色収差を良好に補正し、かつ小型化を実現するための条件式である。
条件式（１）の上限を超えると、第１レンズ群のパワーが弱くなるため、短焦点距離端から長焦点距離端への変倍の移動量が増大し、小型化が難しくなる。さらに移動量が増えることで、絞りに対して第１レンズ群と第４レンズ群の対称性が損なわれ、倍率色収差補正が困難になる。
条件式（１）の下限を超えると、第１レンズ群のパワーが強くなるため、小型化には有利であるが、長焦点距離端における球面収差及びコマ収差補正が困難となる。
【００２３】
条件式（２）は、正のパワーを持つ３つのレンズ群（第１レンズ群、第３レンズ群、第４レンズ群）のうち、物体側と像側に位置する第１レンズ群と第４レンズ群のパワーと、その間に位置する第３レンズ群のパワーとのバランスに関する条件式である。
条件式（２）の上限を超えると、第３レンズ群のパワーが弱くなるため、変倍による移動量が大きくなってレンズ全系の大型化を招く。それを避けるために第４レンズ群の正のパワーを強くすると、軸外のコマ収差の補正が難しくなる。
条件式（２）の下限を超えると、第３レンズ群のパワーが強くなるため、長焦点距離端における球面収差の補正が困難となる。球面収差の補正を行なうために第２レンズ群のパワーを強くすると、歪曲収差が大きく発生してしまう。
【００２４】
本実施の形態では、第１レンズ群、第４レンズ群に特殊な分散性を有するガラス材料を用いて、倍率色収差を良好に補正している。波長４３６ｎｍ（ｇ線）、４８６ｎｍ（Ｆ線）、５８８ｎｍ（ｄ線）、６５６ｎｍ（Ｃ線）のそれぞれに対するレンズ材料の屈折率をそれぞれ、ｎｇ、ｎＦ、ｎｄ、ｎＣとすると、ｄ線に対するアッベ数（分散）νｄは、νｄ＝（ｎｄ−１）／（ｎＦ−ｎＣ）で規定され、部分分散比ΔＰg-Fは、ΔＰg-F＝（ｎｇ−ｎＦ）／（ｎＦ−ｎＣ）で規定される。
【００２５】
条件式（３）は、第１レンズ群内の負レンズと物体側の正レンズの硝材の組み合わせを部分分散比ΔＰg-Fとアッベ数νｄのパラメータで規定して２次スペクトルを小さくするための条件式であり、この条件式（３）を満足することにより、倍率色収差を良好に補正することが可能である。さらに条件式（３）’を満足することで、倍率色収差をより良好に補正することができる。
条件式（３）の上限を超えると、２次スペクトルが大きくなり、特に長焦点距離端において倍率色収差が発生して好ましくない。
【００２６】
第４レンズ群は、各数値実施例に示すように、物体側から順に、正レンズ、及び物体側から順に位置する負レンズと正レンズの接合レンズの３枚のレンズから構成されている。
条件式（４）は、第４レンズ群をこのように構成したとき、第４レンズ群の物体側の正レンズのｄ線に対するアッベ数を規定するものであり、この条件式（４）を満足することで、倍率色収差を良好に補正することが可能である。さらに条件式（４）’を満足することで、倍率色収差をより良好に補正することができる。
条件式（４）の下限を超えると、２次スペクトルが大きくなり、特に長焦点距離端において倍率色収差が発生して好ましくない。
【実施例】
【００２７】
次に具体的な数値実施例を示す。以下の数値実施例は、本発明の高変倍ズームレンズ系をデジタル一眼レフカメラに用いる場合に対応している。諸収差図及び横収差図並びに表中において、ｄ線、ｇ線、Ｃ線、Ｆ線、ｅ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【００２８】
［数値実施例１］
図１〜図６と表１〜表４は、本発明による高変倍ズームレンズ系の数値実施例１を示している。図１は長焦点距離端における無限遠合焦時のレンズ構成図、図２はその諸収差図、図３はその横収差図であり、図４は短焦点距離端における無限遠合焦時のレンズ構成図、図５はその諸収差図、図６はその横収差図である。表１は面データ、表２は各種データ、表３は非球面データ、表４はレンズ群データである。
【００２９】
本数値実施例１の高変倍ズームレンズ系は、物体側から順に、正の屈折力を持つ第１レンズ群Ｇ１、負の屈折力を持つ第２レンズ群Ｇ２、正の屈折力を持つ第３レンズ群Ｇ３、及び正の屈折力を持つ第４レンズ群Ｇ４から構成されている。第２レンズ群Ｇ２は、フォーカシング時に移動するフォーカスレンズ群である（無限遠物体から有限距離物体へ合焦させるに際し第２レンズ群を物体側に繰り出してフォーカシングを行う）。
【００３０】
第１レンズ群Ｇ１（面番号１から５）は、物体側から順に、物体側から順に位置する物体側に凸（像側に凹）の負メニスカスレンズ１１と両凸正レンズ１２の接合レンズＣ１、及び物体側に凸の正メニスカスレンズ１３からなる。
第２レンズ群Ｇ２（面番号６から１４）は、物体側から順に、物体側に凸の負メニスカスレンズ２１、両凹負レンズ２２、両凸正レンズ２３、及び像側に凸の負メニスカスレンズ２４からなる。負メニスカスレンズ２１の物体側の面には、合成樹脂材料による非球面層が接着形成されている。
第３レンズ群Ｇ３（面番号１６から２１）は、物体側から順に、両凸正レンズ３１、両凸正レンズ３２、及び両凹負レンズ３３からなる。第２レンズ群Ｇ２と第３レンズ群Ｇ３の間に位置する絞りＳ（面番号１５）は、第３レンズ群Ｇ３と一体に移動する。
第４レンズ群Ｇ４（面番号２２から２６）は、物体側から順に、両凸正レンズ４１、及び物体側から順に位置する両凹負レンズ４２と両凸正レンズ４３の接合レンズＣ４からなる。両凸正レンズ４３は、その像側の面が非球面からなる非球面レンズである。
【００３１】
（表１）
面データ
面番号          r          d          N(d)        νｄ
1           124.250      1.800      1.84666       23.8
2            67.500      7.070      1.49700       81.6
3          -632.116      0.240
4            53.659      4.730      1.72916       54.7
5           156.000        d5
6*          191.082      0.200      1.52972       42.7
7           111.000      1.250      1.83481       42.7
8            12.162      5.410
9           -36.572      1.220      1.88300       40.8
10           48.983      0.520
11           29.058      3.690      1.84666       23.8
12          -29.058      0.690
13          -19.530      1.310      1.77250       49.6
14         -106.300        d14
15絞            ∞       0.890
16           45.821      2.700      1.48749       70.4
17          -45.821      0.500
18           30.000      3.130      1.48749       70.4
19         -355.189      0.950
20          -35.633      1.310      1.60562       43.7
21          525.000        d21
22           18.210      4.590      1.45860       90.2
23          -53.000      2.360
24         -188.078      1.200      1.79952       42.2
25           12.734      5.340      1.58944       60.8
26*         -66.281        -
＊は回転対称非球面である。
（表２）
各種データ
ズーム比（変倍比）    7.06
短焦点距離端          中間焦点距離          長焦点距離端
FNO.           3.42                  5.07                  5.78
f             18.60                 70.11                131.28
W             38.65                 11.16                  6.04
Y             14.24                 14.24                 14.24
fB           38.423                65.232                76.562
L            118.15                159.05                177.95
d5            2.426                34.354                46.482
d14          18.025                 6.013                 1.901
d21           8.176                 2.347                 1.900
（表３）
非球面データ（表示していない非球面係数は0.00である）
面番号   K          A4             A6             A8            A10
6      0.000   0.2470E-04    -0.6878E-07     0.1528E-09     0.9162E-13
26     0.000   0.3676E-04     0.1095E-06     0.5285E-09
（表４）
レンズ群データ
群          始面          焦点距離
1              1            87.524
2              6           -12.048
3             16            44.366
4             22            43.793
【００３２】
［数値実施例２］
図７〜図１２と表５〜表８は、本発明による高変倍ズームレンズ系の数値実施例２を示している。図７は長焦点距離端における無限遠合焦時のレンズ構成図、図８はその諸収差図、図９はその横収差図であり、図１０は短焦点距離端における無限遠合焦時のレンズ構成図、図１１はその諸収差図、図１２はその横収差図である。表５は面データ、表６は各種データ、表７は非球面データ、表８はレンズ群データである。
【００３３】
この数値実施例２のレンズ構成は、第３レンズ群Ｇ３の正レンズ３２が物体側に凸の正メニスカスレンズである点を除いて、数値実施例１のレンズ構成と同様である。
【００３４】
（表５）
面データ
面番号          r          d          N(d)        νｄ
1           122.000      1.800      1.84666       23.8
2            65.000      7.480      1.49700       81.6
3          -456.918      0.150
4            49.477      4.940      1.72916       54.7
5           135.029        d5
6*         -900.000      0.200      1.52972       42.7
7           315.412      1.250      1.83481       42.7
8            12.538      5.170
9           -41.300      1.220      1.88300       40.8
10           48.983      0.500
11           29.750      3.650      1.84666       23.8
12          -29.750      0.670
13          -19.380      1.250      1.77250       49.6
14          -73.562        d14
15絞            ∞       0.700
16           48.983      2.460      1.48749       70.4
17          -48.983      0.740
18           26.819      3.350      1.48749       70.4
19         1382.845      0.620
20          -38.823      1.300      1.60562       43.7
21          334.800        d21
22           18.330      4.600      1.45860       90.2
23          -48.350      2.460
24         -132.321      1.200      1.79952       42.2
25           12.538      4.690      1.58944       60.8
26*         -65.106        -
＊は回転対称非球面である。
（表６）
各種データ
ズーム比（変倍比）    7.04
短焦点距離端          中間焦点距離          長焦点距離端
FNO.           3.60                  5.15                  5.76
f             18.60                 70.09                130.98
W             38.65                 11.17                  6.05
Y             14.24                 14.24                 14.24
fB           37.702                61.386                  70.7
L            118.39                153.99                169.12
d5            2.462                33.089                44.124
d14          19.836                 6.740                 1.900
d21           7.989                 2.378                 2.000
（表７）
非球面データ（表示していない非球面係数は0.00である）
面番号   K          A4             A6             A8            A10
6      0.000   0.3465E-04    -0.1119E-06     0.3649E-09    -0.4625E-12
26     0.000   0.3874E-04     0.9610E-07     0.6357E-09
（表８）
レンズ群データ
群          始面          焦点距離
1              1            82.444
2              6           -12.515
3             16            45.306
4             22            45.486
【００３５】
［数値実施例３］
図１３〜図１８と表９〜表１２は、本発明による高変倍ズームレンズ系の数値実施例３を示している。図１３は長焦点距離端における無限遠合焦時のレンズ構成図、図１４はその諸収差図、図１５はその横収差図であり、図１６は短焦点距離端における無限遠合焦時のレンズ構成図、図１７はその諸収差図、図１８はその横収差図である。表９は面データ、表１０は各種データ、表１１は非球面データ、表１２はレンズ群データである。
【００３６】
この数値実施例３のレンズ構成は、数値実施例１のレンズ構成と同様である。
【００３７】
（表９）
面データ
面番号          r          d          N(d)        νｄ
1           114.856      1.800      1.84666       23.8
2            64.567      7.443      1.45860       90.2
3          -496.229      0.150
4            49.577      4.972      1.72916       54.7
5           138.507        d5
6*          980.681      0.200      1.52972       42.7
7           196.740      1.250      1.83481       42.7
8            12.553      5.209
9           -40.032      1.220      1.88300       40.8
10           48.911      0.500
11           29.825      3.620      1.84666       23.8
12          -30.004      0.670
13          -19.359      1.250      1.77250       49.6
14          -70.966        d14
15絞            ∞       0.700
16           55.010      2.340      1.48749       70.4
17          -54.654      0.500
18           25.960      4.021      1.48749       70.4
19         -191.137      0.620
20          -38.473      1.300      1.60562       43.7
21          225.620        d21
22           18.904      4.600      1.45860       90.2
23          -46.666      2.458
24         -125.405      1.200      1.79952       42.2
25           12.942      4.699      1.58944       60.8
26*         -66.182        -
＊は回転対称非球面である。
（表１０）
各種データ
ズーム比（変倍比）    7.04
短焦点距離端          中間焦点距離          長焦点距離端
FNO.           3.60                  5.15                  5.78
f             18.60                 70.00                131.01
W             38.66                 11.21                  6.06
Y             14.24                 14.24                 14.24
fB            37.27                 61.28                70.979
L            118.40                154.61                170.46
d5            2.350                33.508                44.857
d14          20.098                 6.754                 1.900
d21           7.957                 2.345                 2.000
（表１１）
非球面データ（表示していない非球面係数は0.00である）
面番号   K          A4             A6             A8            A10
6      0.000   0.3010E-04    -0.6985E-07     0.1393E-09     0.9041E-13
26     0.000   0.3788E-04     0.1241E-06     0.3575E-09
（表１２）
レンズ群データ
群          始面          焦点距離
1              1            84.218
2              6           -12.691
3             16            44.384
4             22            46.392
【００３８】
［数値実施例４］
図１９〜図２４と表１３〜表１６は、本発明による高変倍ズームレンズ系の数値実施例４を示している。図１９は長焦点距離端における無限遠合焦時のレンズ構成図、図２０はその諸収差図、図２１はその横収差図であり、図２２は短焦点距離端における無限遠合焦時のレンズ構成図、図２３はその諸収差図、図２４はその横収差図である。表１３は面データ、表１４は各種データ、表１５は非球面データ、表１６はレンズ群データである。
【００３９】
この数値実施例４のレンズ構成は、数値実施例１のレンズ構成と同様である。
【００４０】
（表１３）
面データ
面番号          r          d          N(d)        νｄ
1           137.272      1.800      1.84666       23.8
2            65.867      7.659      1.49700       81.6
3          -330.000      0.150
4            49.229      4.884      1.77250       49.6
5           128.547        d5
6*          218.224      0.200      1.52972       42.7
7           134.450      1.250      1.83481       42.7
8            12.370      5.355
9           -37.200      1.220      1.88300       40.8
10           48.983      0.666
11           29.592      3.668      1.84666       23.8
12          -29.592      0.670
13          -20.750      1.250      1.77250       49.6
14         -142.289        d14
15絞            ∞       0.700
16           51.555      2.402      1.48749       70.4
17          -51.555      0.877
18           26.975      3.214      1.48749       70.4
19         -155.860      0.620
20          -38.590      1.300      1.60562       43.7
21          265.000        d21
22           18.660      4.600      1.45860       90.2
23          -51.786      2.460
24         -129.709      1.200      1.79952       42.2
25           12.690      5.241      1.58944       60.8
26*         -63.424        -
＊は回転対称非球面である。
（表１４）
各種データ
ズーム比（変倍比）    7.05
短焦点距離端          中間焦点距離          長焦点距離端
FNO.           3.60                  5.17                  5.77
f             18.60                 70.08                131.11
W             38.65                 11.17                  6.05
Y             14.24                 14.24                 14.24
fB           37.431                61.883                71.245
L            118.57                154.79                170.25
d5            2.355                32.693                43.766
d14          18.958                 6.452                 1.900
d21           8.438                 2.374                 1.950
（表１５）
非球面データ（表示していない非球面係数は0.00である）
面番号   K          A4             A6             A8            A10
6      0.000   0.2148E-04    -0.6401E-07     0.1564E-09    -0.1698E-12
26     0.000   0.3627E-04     0.9712E-07     0.3933E-09
（表１６）
レンズ群データ
群          始面          焦点距離
1              1            81.604
2              6           -12.102
3             16            42.496
4             22            47.282
【００４１】
［数値実施例５］
図２５〜図３０と表１７〜表２０は、本発明による高変倍ズームレンズ系の数値実施例５を示している。図２５は長焦点距離端における無限遠合焦時のレンズ構成図、図２６はその諸収差図、図２７はその横収差図であり、図２８は短焦点距離端における無限遠合焦時のレンズ構成図、図２９はその諸収差図、図３０はその横収差図である。表１７は面データ、表１８は各種データ、表１９は非球面データ、表２０はレンズ群データである。
【００４２】
この数値実施例５のレンズ構成は、数値実施例２のレンズ構成と同様である。
【００４３】
（表１７）
面データ
面番号          r          d          N(d)        νｄ
1           144.905      1.800      1.84666       23.8
2            64.750      7.584      1.49700       81.6
3          -363.162      0.150
4            50.775      4.843      1.80420       46.5
5           138.824        d5
6*          196.789      0.200      1.52972       42.7
7           121.212      1.250      1.83481       42.7
8            12.064      5.417
9           -37.692      1.220      1.88300       40.8
10           49.000      0.509
11           28.817      3.706      1.84666       23.8
12          -29.438      0.533
13          -21.008      1.250      1.77250       49.6
14         -128.550        d14
15絞            ∞       0.700
16           48.457      2.412      1.48749       70.4
17          -55.694      1.561
18           22.837      3.229      1.48749       70.4
19          599.295      0.837
20          -41.303      1.300      1.61039       46.6
21          224.616        d21
22           19.010      4.625      1.49019       83.1
23          -44.441      1.447
24          -94.135      1.200      1.80900       44.1
25           12.525      5.614      1.59000       67.0
26*         -66.333        -
＊は回転対称非球面である。
（表１８）
各種データ
ズーム比（変倍比）    7.04
短焦点距離端          中間焦点距離          長焦点距離端
FNO.           3.60                  5.16                  5.77
f             18.60                 70.00                131.01
W             38.25                 11.18                  6.05
Y             14.24                 14.24                 14.24
fB           37.865                62.969                72.513
L            119.08                156.52                172.44
d5            2.632                33.229                44.642
d14          19.654                 6.556                 1.900
d21           7.537                 2.379                 2.000
（表１９）
非球面データ（表示していない非球面係数は0.00である）
面番号   K          A4             A6             A8            A10
6      0.000   0.2308E-04    -0.3896E-07    -0.9504E-10     0.6039E-12
26     0.000   0.3874E-04     0.1161E-06     0.2772E-09
（表２０）
レンズ群データ
群          始面          焦点距離
1              1            82.884
2              6           -12.382
3             16            42.123
4             21            48.187
【００４４】
［数値実施例６］
図３１〜図３６と表２１〜表２４は、本発明による高変倍ズームレンズ系の数値実施例６を示している。図３１は長焦点距離端における無限遠合焦時のレンズ構成図、図３２はその諸収差図、図３３はその横収差図であり、図３４は短焦点距離端における無限遠合焦時のレンズ構成図、図３５はその諸収差図、図３６はその横収差図である。表２１は面データ、表２２は各種データ、表２３は非球面データ、表２４はレンズ群データである。
【００４５】
この数値実施例６のレンズ構成は、数値実施例１のレンズ構成と同様である。
【００４６】
（表２１）
面データ
面番号          r          d          N(d)        νｄ
1           127.900      1.800      1.84666       23.8
2            62.752      7.847      1.44000       95.2
3          -318.523      0.150
4            50.016      4.965      1.80400       46.6
5           141.791        d5
6*          200.333      0.200      1.52972       42.7
7           121.939      1.250      1.83481       42.7
8            11.997      5.429
9           -37.692      1.220      1.88300       40.8
10           49.000      0.500
11           28.894      3.705      1.84666       23.8
12          -29.397      0.535
13          -20.970      1.250      1.77250       49.6
14         -119.651        d14
15絞            ∞       0.700
16           48.881      2.425      1.48749       70.4
17          -52.609      0.527
18           27.041      3.041      1.48749       70.4
19        -1638.485      0.770
20          -40.228      1.300      1.60562       43.7
21          346.525        d21
22           18.212      4.507      1.46133       89.6
23          -60.696      2.498
24         -205.229      1.200      1.80335       41.7
25           12.275      5.420      1.58944       60.8
26*         -63.485        -
＊は回転対称非球面である。
（表２２）
各種データ
ズーム比（変倍比）    7.06
短焦点距離端          中間焦点距離          長焦点距離端
FNO.           3.60                  5.21                  5.79
f             18.60                 70.09                131.24
W             38.16                 11.17                  6.04
Y             14.24                 14.24                 14.24
fB           37.818                62.597                71.566
L            119.48                155.46                170.99
d5            2.543                32.863                44.384
d14          19.422                 6.550                 1.900
d21           8.457                 2.206                 1.900
（表２３）
非球面データ（表示していない非球面係数は0.00である）
面番号   K          A4             A6             A8            A10
6      0.000   0.2301E-04    -0.2906E-07    -0.1716E-09     0.8056E-12
26     0.000   0.3482E-04     0.1176E-06     0.2309E-09
（表２４）
レンズ群データ
群          始面          焦点距離
1              1            82.304
2              6           -12.393
3             16            44.806
4             22            45.685
【００４７】
［数値実施例７］
図３７〜図４２と表２５〜表２８は、本発明による高変倍ズームレンズ系の数値実施例７を示している。図３７は長焦点距離端における無限遠合焦時のレンズ構成図、図３８はその諸収差図、図３９はその横収差図であり、図４０は短焦点距離端における無限遠合焦時のレンズ構成図、図４１はその諸収差図、図４２はその横収差図である。表２５は面データ、表２６は各種データ、表２７は非球面データ、表２８はレンズ群データである。
【００４８】
この数値実施例７のレンズ構成は、数値実施例１のレンズ構成と同様である。
【００４９】
（表２５）
面データ
面番号          r          d          N(d)        νｄ
1           124.415      1.800      1.84666       23.8
2            67.011      7.130      1.49700       81.6
3          -588.686      0.150
4            53.028      4.745      1.72916       54.7
5           151.543        d5
6*          191.082      0.200      1.52972       42.7
7           111.000      1.250      1.83481       42.7
8            12.162      5.397
9           -36.765      1.220      1.88300       40.8
10           48.983      0.512
11           28.992      3.696      1.84666       23.8
12          -28.992      0.672
13          -19.655      1.250      1.77250       49.6
14         -107.322        d14
15絞            ∞       0.930
16           46.248      2.681      1.48749       70.4
17          -46.248      0.860
18           29.212      3.159      1.48749       70.4
19         -500.406      0.884
20          -36.698      1.300      1.60562       43.7
21          373.026        d21
22           18.245      4.579      1.45860       90.2
23          -53.681      2.314
24         -187.806      1.200      1.79952       42.2
25           12.794      5.500      1.58944       60.8
26*         -67.248        -
＊は回転対称非球面である。
（表２６）
各種データ
ズーム比（変倍比）    7.06
短焦点距離端          中間焦点距離          長焦点距離端
FNO.           3.58                  5.33                  5.77
f             18.60                 70.11                131.29
W             38.66                 11.16                  6.04
Y             14.24                 14.24                 14.24
fB           38.498                65.218                76.257
L            118.93               159.329               177.853
d5            2.281                34.187                46.320
d14          18.381                 6.143                 1.945
d21           8.338                 2.351                 1.900
（表２７）
非球面データ（表示していない非球面係数は0.00である）
面番号   K          A4             A6             A8            A10
6      0.000   0.2470E-04    -0.6878E-07     0.1528E-09     0.9162E-13
26     0.000   0.3632E-04     0.1052E-06     0.5100E-09
（表２８）
レンズ群データ
群          始面          焦点距離
1              1            87.165
2              6           -12.142
3             16            44.609
4             22            44.226
【００５０】
各数値実施例の各条件式に対する値を表２９に示す。
（表２９）
実施例１     実施例２     実施例３     実施例４
条件式（１）     2.00         1.81         1.82         1.73
条件式（２）     1.95         1.83         1.98         2.14
条件式（３）   0.00139      0.00139      0.00126      0.00139
条件式（４）    90.19        90.19        90.19        90.19
実施例５     実施例６     実施例７
条件式（１）     1.72         1.80         1.97
条件式（２）     2.25         1.87         1.94
条件式（３）   0.00139      0.00127      0.00139
条件式（４）    83.08        89.58        90.19
【００５１】
表２９から明らかなように、数値実施例１〜数値実施例７は、条件式（１）〜（４）を満足しており、また諸収差図から明らかなように諸収差は比較的よく補正されている。
【符号の説明】
【００５２】
Ｇ１  正の屈折力を持つ第１レンズ群
１１  負レンズ
１２  正レンズ
１３  正レンズ
Ｃ１  接合レンズ
Ｇ２  負の屈折力を持つ第２レンズ群
２１  負レンズ
２２  負レンズ
２３  正レンズ
２４  負レンズ
Ｇ３  正の屈折力を持つ第３レンズ群
３１  正レンズ
３２  正レンズ
３３  負レンズ
Ｇ４  正の屈折力を持つ第４レンズ群
４１  正レンズ
４２  負レンズ
４３  正レンズ
Ｃ４  接合レンズ
Ｓ  絞り
Ｉ  像面
【図１】
0005589622.tif 000002
【図２】
0005589622.tif 000003
【図３】
0005589622.tif 000004
【図４】
0005589622.tif 000005
【図５】
0005589622.tif 000006
【図６】
0005589622.tif 000007
【図７】
0005589622.tif 000008
【図８】
0005589622.tif 000009
【図９】
0005589622.tif 000010
【図１０】
0005589622.tif 000011
【図１１】
0005589622.tif 000012
【図１２】
0005589622.tif 000013
【図１３】
0005589622.tif 000014
【図１４】
0005589622.tif 000015
【図１５】
0005589622.tif 000016
【図１６】
0005589622.tif 000017
【図１７】
0005589622.tif 000018
【図１８】
0005589622.tif 000019
【図１９】
0005589622.tif 000020
【図２０】
0005589622.tif 000021
【図２１】
0005589622.tif 000022
【図２２】
0005589622.tif 000023
【図２３】
0005589622.tif 000024
【図２４】
0005589622.tif 000025
【図２５】
0005589622.tif 000026
【図２６】
0005589622.tif 000027
【図２７】
0005589622.tif 000028
【図２８】
0005589622.tif 000029
【図２９】
0005589622.tif 000030
【図３０】
0005589622.tif 000031
【図３１】
0005589622.tif 000032
【図３２】
0005589622.tif 000033
【図３３】
0005589622.tif 000034
【図３４】
0005589622.tif 000035
【図３５】
0005589622.tif 000036
【図３６】
0005589622.tif 000037
【図３７】
0005589622.tif 000038
【図３８】
0005589622.tif 000039
【図３９】
0005589622.tif 000040
【図４０】
0005589622.tif 000041
【図４１】
0005589622.tif 000042
【図４２】
0005589622.tif 000043
【図４３】
0005589622.tif 000044